(57)【特許請求の範囲】
【請求項１】
オープンショーケースの側板に形成された、前端が開口する窓孔に風防ガラスを取り付けたオープンショーケースにおける風防ガラスの取付構造において、
前記風防ガラスの後方の下角部を、前部に風防ガラス保持部を形成した固定具に保持し、該固定具の後部より突設した突片を、前記側板の窓孔の縁部に固着されたトリムに穿設した切欠孔に挿入して、前記固定具を側板に取り付けたことを特徴とするオープンショーケースにおける風防ガラスの取付構造。
【請求項２】
風防ガラスの一側面を、側板の左右いずれかの側面と整合するように取り付け、かつ固定具における前記風防ガラスの一側面を覆う方の風防ガラス保持部を、前記側板の側面に沿って延出させた請求項１記載のオープンショーケースにおける風防ガラスの取付構造。
【請求項３】
固定具におけるトリムの中央寄りの風防ガラス保持部とトリムの風防ガラス取付面との接触部に、鍔部を形成した請求項１または２記載のオープンショーケースにおける風防ガラスの取付構造。
【請求項４】
トリムの風防ガラス取付面の後下隅部を、水平方向のトリムと垂直方向のトリムとの突き合わせにより形成した請求項１〜３のいずれかに記載のオープンショーケースにおける風防ガラスの取付構造。
【発明の詳細な説明】
【０００１】
【発明の属する技術分野】
本発明は、スーパーマーケット、コンビニエンスストア等の食品店舗において、冷蔵食品や生鮮食品等を陳列するために用いられる冷凍、冷蔵オープンショーケースにおける風防ガラス取付構造、特に風防ガラスの下隅部の固定構造に関する。
【０００２】
【従来の技術】
従来のオープンショーケースにおける風防ガラスの取付構造としては、例えば特開平8-219631号公報に記載されたものがある。これでは、一体物として成形した側板のトリムにおける風防ガラス取付面となる内隅部に切欠孔を設け、この切欠孔に風防ガラスの隅部を嵌入して取り付けている。
【０００３】
【発明が解決しようとする課題】
しかし、切欠孔は、風防ガラスの隅部より若干大きくする必要があり、そのため切欠孔の周縁部が外部に露出して、見栄えが悪くなる。また、風防ガラスの厚さにより切欠孔の大きさが変わるため、風防ガラスの厚さごとに、専用の側板を製作しなければならないという問題点がある。
【０００４】
本発明は、上述の問題点に鑑み、厚さの異なる風防ガラスを用いる場合、側板に取り付ける固定具を交換するだけで、側板自体は共通に使用できるようにした、オープンショーケースにおける風防ガラスの取付構造を提供することを目的としている。
【０００５】
【課題を解決するための手段】
本発明によると、上記課題は、次のようにして解決される。
(１) オープンショーケースの側板に形成された、前端が開口する窓孔に風防ガラスを取り付けたオープンショーケースにおける風防ガラスの取付構造において、前記風防ガラスの後方の下角部を、前部に風防ガラス保持部を形成した固定具に保持し、該固定具の後部より突設した突片を、前記側板の窓孔の縁部に固着されたトリムに穿設した切欠孔に挿入して、前記固定具を側板に取り付ける。
【０００６】
(２) 上記(１)項において、風防ガラスの一側面を、側板の左右いずれかの側面と整合するように取り付け、かつ固定具における前記風防ガラスの一側面を覆う方の風防ガラス保持部を、前記側板の側面に沿って延出させる。
【０００７】
(３) 上記(１)または(２)項において、固定具におけるトリムの中央寄りの風防ガラス保持部とトリムの風防ガラス取付面との接触部に、鍔部を形成する。
【０００８】
(４) 上記(１)〜(３)項のいずれかにおいて、トリムの風防ガラス取付面の後下隅部を、水平方向のトリムと垂直方向のトリムとの突き合わせにより形成する。
【０００９】
【発明の実施の形態】
図１は、オープンショーケースの一例としての冷蔵ショーケース(Ａ)を示すもので、その左右の側板(１)は、前端が開口する窓孔(1a)を有し、ここに風防ガラス(２)が取り付けられている。本発明は、この風防ガラス(２)の取付構造にある。
【００１０】
図２に示すように、側板(１)は、側面視ほぼ前向きコ字形をなす内側板(３)と外側板(４)とを主構成部材としてなり、その周縁部に、断面が浅いチャンネル状をなす３個の分割型のトリム(５)(６)(７)を嵌合して固着し、内部空隙にウレタン樹脂を発泡充填させて断熱層(８)（図６参照）としたものである。
【００１１】
側板(１)の窓孔(1a)は、下部が前面から後部にほぼ水平に延び、後部の下隅部から上方に延び、次第に緩やかに前方に曲がって上端部が前面に戻る形状とされており、トリム(６)とトリム(５)とは、上述の下隅部において、ほぼ直角に突き合わされている。
【００１２】
風防ガラス(２)の周囲には、サッシである断面コ字形の枠部材(９)が取り付けられている。
【００１３】
風防ガラス(２)の後部の下角部は、窓孔(1a)の下隅部、すなわち水平方向のトリム(６)と垂直方向のトリム(５)との突き合わせ部に、固定具(10)をもって取り付けられている。
【００１４】
図３〜図６には、シングルガラスの風防ガラス(２)を固定するのに用いる固定具(10)を示す。
図３及び図４に詳細に示すように、固定具(10)は、風防ガラス(２)の厚さに相当する間隔(ｄ)を隔てて平行に対峙する側片(11)(12)を有している。風防ガラス保持部である側片(11)(12)は、連結片(13)により連結され、側片(11)(12)と連結片(13)とは、風防ガラス(２)の後下角部を受けるように、垂直方向及び水平方向に延びるＬ字形をなしている。
【００１５】
側片(11)の角部には、下方及び後方に延びる突片(14)が突設されており、側片(12)の下部及び後部は、下方及び後方に向かって延出する延長部(12a)が形成されている。
また、側片(11)の外側面の下縁及び後縁には、リブ状をなして外側方に突出する鍔部(15)が形成されている。
このような形状の固定具(10)は、合成樹脂材料の成型品とするのがよい。
【００１６】
図５に示すように、後下隅部で突き合わせにされたトリム(５)(６)には、その端部にスリット状の切欠孔(16)が相対峙して穿設されている。切欠孔(16)の位置は、トリム(５)(６)の側縁から、側片(12)から突片(14)までの距離（この実施形態の場合、間隔(ｄ)に等しい）だけ入り込んだトリム中間部分としてある。
【００１７】
図５及び図６に示すように、固定具(10)の風防ガラス保持部(両側片(11)(12))を、風防ガラス(２)の後下角部に嵌め込み、固定具(10)の突片(14)を、トリム(５)(６)の切欠孔(16)に挿入する。すると、側片(12)の延長部(12a)の内面が、側板(１)の外面と接触して整合する。
このようにすると、延長部(12a)と突片(14)とが、内側板(３)とトリム(５)(６)の切欠孔(16)とに係合し、すなわち固定具(10)が側板(１)を挟んで係合し、これにより風防ガラス(２)は、この下隅部でしっかりと保持される。
風防ガラス(２)の前面の上端及び下端は、別の取付構造により係止されるが、これは本発明に直接関係しないので、詳細な説明は省略する。
【００１８】
図７に示す固定具(10)は、風防ガラス(２)がペアガラスである場合の変形例で、風防ガラス(２)を収容する間隔(ｄ)を長くしてある。しかし、突片(14)は、側片(12)から前の実施例と同じ距離にある。
図７の固定具(10)によりペアガラスを取り付けた状態を図９に示してある。
【００１９】
図８に示す固定具(10)は、風防ガラス(２)が３枚構成のガラスである場合の変形例である。この場合、間隔(ｄ)を、図７の場合よりもさらに長くしてある。図１０は、この固定具(10)を使い、３枚構成の風防ガラス(２)を取り付けた状態を示している。
【００２０】
【発明の効果】
請求項１記載の発明によると、切欠孔の周縁部が外部に露出しないので、見栄えがよい。また、風防ガラスの厚さが、シングルガラス、ペアガラス、３枚ガラスなどと変化しても、側板は、固定具を代えることにより、同じものを使用することができる。さらに、ボルト等を使用することなく、容易に風防ガラスを取り付けることができる。
【００２１】
請求項２記載の発明によると、側板のトリムと固定具との隙間がかくれ、側面からの見栄えがよくなる。また、突片と延出した延長部とにより、風防ガラス保持部より側板を挟持する構造となるため、取り付けが強固になる。
【００２２】
請求項３記載の発明によると、シングルガラスの固定具は、製作上の制約により風防ガラス保持部と突片が面一になる場合があるが、鍔部を形成することにより切欠孔の周縁部を隠すことができる。
【００２３】
請求項４記載の発明によると、固定具から突出する突片を切欠孔に嵌入させるので、トリムを一体物で成形する必要はない。トリムを分割することにより、製作が容易になり、また、保管スペースも小さくてすみ、その上安価である。
【図面の簡単な説明】
【図１】本発明の取付構造を採用した冷蔵ショーケースの斜視図である。
【図２】図１の冷蔵ショーケースの片方の側板と風防ガラス等を分解して示す斜視図である。
【図３】本発明の取付構造に用いる固定具の斜め前から見た斜視図である。
【図４】図３に示す固定具を斜め後から見た斜視図である。
【図５】図１の冷蔵ショーケースの側板の後下隅部におけるトリムの一部と固定具と風防ガラスの一部とを示す分解拡大斜視図である。
【図６】図５に示す部材を組み立てた状態の部分拡大断面図である。
【図７】ペアガラス用の固定具の斜視図である。
【図８】３枚構成のガラス用の固定具の斜視図である。
【図９】図７の固定具を使って組み立てた状態の部分拡大断面図である。
【図１０】図８の固定具を使って組み立てた状態の部分拡大断面図である。
【符号の説明】
(Ａ)冷蔵ショーケース
(１)側板
(1a)窓孔
(２)風防ガラス
(３)内側板
(４)外側板
(５)(６)(７)トリム
(８)断熱層
(９)枠部材
(10)固定具
(11)(12)側片（風防ガラス保持部）
(12a)延長部
(13)連結片
(14)突片
(15)鍔部
(16)切欠孔
【図１】
0003999388.tif 000002
【図２】
0003999388.tif 000003
【図３】
0003999388.tif 000004
【図４】
0003999388.tif 000005
【図５】
0003999388.tif 000006
【図６】
0003999388.tif 000007
【図７】
0003999388.tif 000008
【図８】
0003999388.tif 000009
【図９】
0003999388.tif 000010
【図１０】
0003999388.tif 000011